(57)【特許請求の範囲】
【請求項１】
機器の設定用の各条件を、当該条件を示すための条件表示領域に表示する表示制御装置において、
表示される上記条件に対する各操作を検出する検出部と、
上記条件表示領域を上記各条件の中で常時表示用の条件を表示させる第１の領域と、上記各条件の中で切換表示用の条件を表示させる第２の領域の少なくとも２つの領域に分けて、当該各条件を表示させる表示制御部と、を備え、
上記表示制御部は、
上記第１の領域には、上記各条件の中から抽出操作された条件を表示させ、
上記第２の領域には、上記各条件の中から上記抽出操作された条件を除いた条件を並べた条件列の一部を表示させ、上記表示される条件列に対する切換え操作応じて上記表示される条件列を切り換え、
さらに、上記表示制御部は、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、当該第２の領域に表示される条件列を延長して、表示される条件列の一部が上記第１の領域の上記常時表示用の条件に重畳されるように表示させる、
ことを特徴とする表示制御装置。
【請求項２】
機器の設定用の各条件を、当該条件を示すための条件表示領域に表示する表示制御装置において、
表示される上記条件に対する各操作を検出する検出部と、
上記条件表示領域を上記各条件の中で常時表示用の条件を表示させる第１の領域と、上記各条件の中で切換表示用の条件を表示させる第２の領域の少なくとも２つの領域に分けて、当該各条件を表示させる表示制御部と、を備え、
上記表示制御部は、
上記第１の領域には、上記各条件の中から抽出操作された条件を表示させ、
上記第２の領域には、上記各条件の中から上記抽出操作された条件を除いた条件を並べた条件列の一部を表示させ、上記表示される条件列に対する切換え操作応じて上記表示される条件列を切り換え、
さらに、上記表示制御部は、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、上記条件表示領域での上記第１の領域の占める割合を減らし、その分上記第２の領域に占める割合を増やして表示することを特徴とする表示制御装置。
【請求項３】
上記表示制御部は、上記第２の領域に表示されている条件列から、上記常時表示用の条件が選択操作された場合には、当該選択操作された条件を、第１の領域に含まさせて表示することを特徴とする請求項１又は２に記載の表示制御装置。
【請求項４】
上記表示制御部は、上記第１の領域および上記第２の領域の少なくとも１つの領域で表示される条件のいずれかが指定されると、その条件に関連するサブ条件を表示することを特徴とする請求項１又は２に記載の表示制御装置。
【請求項５】
請求項１乃至４のいずれか１項に記載の表示制御装置は、デジタルカメラに備えられ、上記条件表示領域をライブビュー画像に重畳して表示させることを特徴とする表示制御装置。
【請求項６】
機器の設定用の各条件を、当該条件を示すための条件表示領域に表示する表示制御方法において、
表示される上記条件に対する各操作を検出し、
上記条件表示領域を上記各条件の中で常時表示用の条件を表示させる第１の領域と、上記各条件の中で切換表示用の条件を表示させる第２の領域の少なくとも２つの領域に分けて、当該各条件を表示させ、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、
さらに、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、当該第２の領域に表示される条件列を延長して、表示される条件列の一部が上記第１の領域の上記常時表示用の条件に重畳されるように表示させる、
ことを特徴とする表示制御方法。
【請求項７】
機器の設定用の各条件を、当該条件を示すための条件表示領域に表示する表示制御方法において、
表示される上記条件に対する各操作を検出し、
上記条件表示領域を上記各条件の中で常時表示用の条件を表示させる第１の領域と、上記各条件の中で切換表示用の条件を表示させる第２の領域の少なくとも２つの領域に分けて、当該各条件を表示させ、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、
さらに、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、上記条件表示領域での上記第１の領域の占める割合を減らし、その分上記第２の領域に占める割合を増やして表示する、
ことを特徴とする表示制御方法。
【発明の詳細な説明】
【技術分野】
【０００１】
本発明は、表示制御装置及び表示制御方法に関し、詳しくは、機器の設定用の各条件等を表示部に表示する表示制御装置及び表示制御方法に関する。
【背景技術】
【０００２】
デジタルカメラやビデオムービーあるいはオーディオ等の携帯に機器においては、適切な動作を実行させるためには、各種条件の設定が不可欠である。この条件設定には、内蔵の表示部で行われることが多い。例えば、デジタルカメラやビデオムービーでは、設定可能な撮影条件は多数設けられている。一方、内蔵の表示部の表示画面のサイズは、各種条件をまとめて表示できるほど大きくないために、撮影条件を設定する画面のデザインは、色々工夫がなされている。
【０００３】
この工夫として、例えば、撮影条件をページ単位に分けて表示する方法は広く知られている。例えば、特許文献１に開示の表示メニュー機能設定ユニットでは、メニュー画面の上部に設けてあるページ番号に相当するタブをクリックすることで、所望のページを開くことができ、その頁の中で十字キーを操作することによって、所望の条件を選択することができる。
【０００４】
デジタルカメラ等の携帯機器の表示部には、メニュー画面を画面全体に表示し、撮影条件をまとめて設定するというような状態ばかりでなく、ライブビュー画像を表示させた状態で、撮影条件を希望の条件に切り換えるような状況も多々ある。ライブビュー画像に撮影条件を重畳させるには、ライブビュー画像の視認を邪魔しないようにする必要がある。このために、例えば、特許文献２には、撮影条件を画面の左右端あるいは上下端に配置するようにしたデジタルカメラが開示されている。
【先行技術文献】
【特許文献】
【０００５】
【特許文献１】特開２００４−２３４１５号公報
【特許文献２】特開２００６−６０３１３号公報
【発明の概要】
【発明が解決しようとする課題】
【０００６】
カメラのような携帯機器では、表示部の面積が狭く、設定条件の全てを同時に表示することができない。したがって、全ての設定条件を同時に表示できない場合には、一部の条件を表示し、操作に応じて設定条件を順次切り換えていくことになる。しかし、このような順次切り換えていく方式では、所望の条件を呼び出すまでに時間がかかるという操作上の不具合がある。
【０００７】
本発明は、このような事情を鑑みてなされたものであり、切り換えて表示される設定条件の中から所望の条件を迅速に検索できるようにした表示制御装置及び表示制御方法を提供することを目的とする。
【課題を解決するための手段】
【０００８】
上記目的を達成するため第１の発明に係わる表示制御装置は、機器の設定用の各条件を、当該条件を示すための条件表示領域に表示する表示制御装置において、表示される上記条件に対する各操作を検出する検出部と、上記条件表示領域を上記各条件の中で常時表示用の条件を表示させる第１の領域と、上記各条件の中で切換表示用の条件を表示させる第２の領域の少なくとも２つの領域に分けて、当該各条件を表示させる表示制御部と、を備え、上記表示制御部は、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、さらに、上記表示制御部は、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、当該第２の領域に表示される条件列を延長して、表示される条件列の一部が上記第１の領域の上記常時表示用の条件に重畳されるように表示させる。
【００１０】
第２の発明に係わる表示制御装置は、機器の設定用の各条件を、当該条件を示すための条件表示領域に表示する表示制御装置において、表示される上記条件に対する各操作を検出する検出部と、上記条件表示領域を上記各条件の中で常時表示用の条件を表示させる第１の領域と、上記各条件の中で切換表示用の条件を表示させる第２の領域の少なくとも２つの領域に分けて、当該各条件を表示させる表示制御部と、を備え、上記表示制御部は、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、さらに、上記表示制御部は、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、上記条件表示領域での上記第１の領域の占める割合を減らし、その分上記第２の領域に占める割合を増やして表示する。
【００１１】
第３の発明に係わる表示制御装置は、上記第１又は第２の発明において、上記表示制御部は、上記第２の領域に表示されている条件列から、上記常時表示用の条件が選択操作された場合には、当該選択操作された条件を、第１の領域に含まさせて表示する。
第４の発明に係わる表示制御装置は、上記第１又は第２の発明において、上記表示制御部は、上記第１の領域および上記第２の領域の少なくとも１つの領域で表示される条件のいずれかが指定されると、その条件に関連するサブ条件を表示する。
第５の発明に係わる表示制御装置は、上記第１ないし第４の発明において、デジタルカメラに備えられ、上記条件表示領域をライブビュー画像に重畳して表示させる。
【００１２】
第６の発明に係わる表示制御方法は、機器の設定用の各条件を、当該条件を示すための条件表示領域に表示する表示制御方法において、表示される上記条件に対する各操作を検出し、上記条件表示領域を上記各条件の中で常時表示用の条件を表示させる第１の領域と、上記各条件の中で切換表示用の条件を表示させる第２の領域の少なくとも２つの領域に分けて、当該各条件を表示させ、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、さらに、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、当該第２の領域に表示される条件列を延長して、表示される条件列の一部が上記第１の領域の上記常時表示用の条件に重畳されるように表示させる。
第７の発明に係わる表示制御方法は、機器の設定用の各条件を、当該条件を示すための条件表示領域に表示する表示制御方法において、表示される上記条件に対する各操作を検出し、上記条件表示領域を上記各条件の中で常時表示用の条件を表示させる第１の領域と、上記各条件の中で切換表示用の条件を表示させる第２の領域の少なくとも２つの領域に分けて、当該各条件を表示させ、上記第１の領域には、上記各条件の中から抽出操作された条件を表示させ、上記第２の領域には、上記各条件の中から上記抽出操作された条件を除いた条件を並べた条件列の一部を表示させ、上記表示される条件列に対する切換え操作応じて上記表示される条件列を切り換え、さらに、上記条件表示領域全体を細長い形状で構成して、当該細長い形状の条件表示領域を長手方向で上記第１の領域と第２の領域の２つに分けて表示させ、上記第２の領域に表示される条件列への切換操作がされた場合に、上記条件表示領域での上記第１の領域の占める割合を減らし、その分上記第２の領域に占める割合を増やして表示する。
【発明の効果】
【００１３】
第１又は第２の発明によれば、条件の一部しか表示できないような狭い表示領域でも、条件を設定する際の操作性が向上し、切り換えて表示される設定条件の中から所望の条件を迅速に検索できるようにした表示制御装置を提供することができる。また、表示される条件列が長くでき同時に表示される条件数が増加するので、検索性が向上する。
【００１４】
第３の発明によれば、第２の領域から第1の領域に条件を移動することができることから、撮影対象や撮影環境の変化に対応して、最適な撮影メニューに簡単に切り換えることができる。
第４の発明によれば、１つの条件を指定すると、その条件に関連するサブ条件が表示されることから、迅速に条件を検索し設定することが可能となる。
第５の発明によれば、カメラにおいて、撮影条件の設定が容易に行うことができる。
第６又は７の発明によれば、切り換えて表示される設定条件の中から所望の条件を迅速に検索できるようにした表示制御方法を提供することができる。また、表示される条件列が長くでき同時に表示される条件数が増加するので、検索性が向上する。
【図面の簡単な説明】
【００１５】
【図１】本発明の一実施形態に係わるカメラの主として電気回路の構成を示すブロック図である。
【図２】本発明の一実施形態に係わるカメラにおける基本的な使用方法を説明する図である。
【図３】本発明の一実施形態に係わるカメラにおける基本的な使用方法であって、固定領域での撮影条件の設定を説明する図である。
【図４】本発明の一実施形態に係わるカメラにおける基本的な使用方法であって、固定領域への撮影条件の追加を説明する図である。
【図５】本発明の一実施形態に係わるカメラにおける基本的な使用方法であって、スクロール領域での撮影条件の変更を説明する図である。
【図６】本発明の一実施形態に係わるカメラにおける基本的な使用方法であって、スクロール領域での撮影条件の変更を説明する図である。
【図７】本発明の一実施形態に係わるカメラの撮影モードの動作を示すフローチャートである。
【図８】本発明の一実施形態に係わるカメラの撮影メニュー処理の動作を示すフローチャートである。
【図９】本発明の一実施形態に係わるカメラの撮影メニュー処理の動作を示すフローチャートである。
【図１０】本発明の一実施形態に係わるカメラの基本的な使用方法の変形例１を説明する図である。
【図１１】本発明の一実施形態に係わるカメラの基本的な使用方法の変形例２を説明する図である。
【図１２】本発明の一実施形態に係わるカメラにおける撮影メニューの表示の変形例を説明する図である。
【発明を実施するための形態】
【００１６】
以下、図面に従って本発明を適用したカメラを用いて好ましい実施形態について説明する。本発明の好ましい実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。また、表示部には、撮影モードやホワイトバランス等の種々の撮影条件の設定を行うためのアイコンが表示される。レリーズ操作時には、画像データが記録媒体に記録される。記録媒体に記録された画像データは、再生モードを選択すると、表示部に再生表示することができる。
【００１７】
図１は、本発明の一実施形態に係わるデジタルカメラの構成を示すブロック図である。制御部（ＣＰＵ：Central Processing Unit）１１は、プログラム／データ記憶部１２に記憶された制御プログラムに従って動作し、デジタルカメラの全体制御を行う。制御部１１内には、入力検出部１１ａ、撮影メニュー表示制御部１１ｂ、撮影条件設定部１１ｃが設けられているとする。制御部１１内の１１ａ〜１１ｃは、制御プログラムにより実行される処理の一部であるので、制御部１１に含まれる機能部として説明する。
【００１８】
入力検出部１１ａは、後述する操作部１３及びタッチパネル１４に接続されており、操作部１３及びタッチパネル１４から出力される検知信号に基づいて、ユーザからの操作指示を検出する。撮影メニュー表示制御部１１ｂは、入力検出部１１ａによって検出されたタッチパネル１４のタッチ状態に応じて、後述する表示部２７における撮影メニューの表示を制御する。
【００１９】
撮影条件設定部１１ｃは、撮影条件の設定を行う。すなわち、ユーザは撮影メニュー表示制御部１１ｂによって表示された撮影メニューをみて、希望する撮影条件をタッチするので、このタッチ状態を入力検出部１１ａによって検出し、この検出結果に応じて、撮影条件設定部１１ｃは、撮影条件の設定を行う。
【００２０】
制御部１１には、プログラム及びデータ記憶部１２、操作部１３、タッチパネル１４及びバス３０が接続されている。プログラム及びデータ記憶部１２には前述したように制御部１１において実行するプログラムが記憶されており、また各種データも記憶されている。操作部１３は、ユーザがカメラに指示を与えるための各種操作部材を含み、操作状態を示す検知信号を入力検出部１１aに出力する。各種操作部材としては、電源釦、レリーズ釦等を有する。また、後述する撮影メニューを表示部２７に表示させるための撮影メニュー釦も各種操作部材として具えられている。
【００２１】
タッチパネル１４は、後述する表示部２７の前面に配置され、または表示部２７と一体に構成され、表示部２７の表示面のタッチ状態に応じて検知信号を入力検出部１１ａに出力する。
【００２２】
バス３０には、前述の制御部１１の他に、撮像部２０、ＳＤＲＡＭ２１、画像処理部２２、表示処理部２６、圧縮伸張部２３、記録再生部２４が接続されている。撮像部２０は、被写体像を結像させるための撮影レンズ、被写体像を画像データに変換するための撮像素子、及びこれらの処理回路、撮影レンズの光路中に介挿された絞り及びシャッタ等を含む。撮像部２０によって生成された画像データはバス３０に出力される。
【００２３】
ＳＤＲＡＭ（Dynamic Random Access Memory）２１は電気的に書き換え可能な揮発性の一時記憶メモリであり、撮像部２０から出力される画像データの一時記憶に用いられる。画像処理部２２は、デジタル画像データのデジタル的増幅（デジタルゲイン調整処理）、ホワイトバランス、色補正、ガンマ（γ）補正、コントラスト補正、ライブビュー表示用画像生成、動画画像生成等の各種の画像処理を行なう。また圧縮伸張部２３はＳＤＲＡＭ２１に一時記憶された静止画や動画の画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００２４】
表示処理部２６は、撮影時にはライブビュー表示、再生時には再生画像を、表示部２７に表示させる。また、撮影メニュー表示制御部１１ｂからの指示に基づき、撮影メニュー画像の作成と、作成された撮影メニュー画像をライブビュー画像に合成する合成処理を行う。撮影メニュー画像の画像データは予め表示処理部２６に格納されている。表示処理部２６は、合成処理されて撮影メニュー画像が重畳されたライブビュー画像を表示部２７に表示させる。表示部２７は、表示処理部２６に接続されており、カメラ１０の本体の背面等に配置された液晶モニタや有機ＥＬ等のディスプレイを有し、表示処理部２６の制御によりディスプレイの画面に所定の画像が表示される。
【００２５】
記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。画像記憶部２５は、記録再生部２４に接続されており、デジタルカメラ本体に内蔵、または装填可能な画像データの記録媒体である。
【００２６】
次に、図２ないし図６を用いて、本実施形態における撮影メニューの表示について説明する。図２は撮影メニューのデフォルト画面であり、ここでは、マクロオフからスーパーマクロにピント範囲を設定する様子を例に挙げて説明する。図２（ａ）に示すように、表示部２７の表示面にはライブビュー画像１０１が表示され、その下部に撮影メニュー１１０が重畳して表示されている。撮影メニュー１１０の表示にあたって、ライブビュー画像１１０がその重畳された領域でも有る程度、視認できるように、撮影メニュー１１０は半透明で表示する。
【００２７】
撮影メニュー１１０は、図２（ａ）に示すように、表示領域全体を細長い形状で構成して、この細長い形状の条件表示領域を長手方向に第１の領域と第２の領域の２つ領域、すなわち固定領域である第１の領域１１１と、スクロール領域である第２の領域１１３とから構成されている。第１の領域１１１は、第２の領域１１３と区別するために、背景色を異ならせて表示され、かつ２つの領域の間に区切りが表示される。第１の領域１１１には、常時表示用の条件を表示し、第２の領域１１３には切換え表示用の条件を表示させる。第１の領域１１１には、常時表示用条件としてプログラムモードを示すＰアイコン１１２ａが表示され、第２の領域１１３には、ホワイトバランスの自動設定を示すＷＢＡＵＴＯアイコン１１４ａ、フラッシュ発光の自動設定を示すフラッシュＡＵＴＯアイコン１１５ａ、近接撮影に設定されていないことを示すマクロオフアイコン１１６ａ、露出補正がされていないことを示すＥＶ０アイコン１１７ａ、ＩＳＯ感度を自動設定することを示すＩＳＯＡＵＴＯアイコン１１８ａ、中央重点測光を示す測光アイコン１１９ａが左から右に順次配列されている。
【００２８】
ユーザが撮影条件を変更する場合、図２に示す例では、近接撮影を行わないマクロオフモードから被写体にかなり接近して撮影するスーパーマクロモードに撮影条件を変更したい場合には、図２（ｂ）に示すように、ユーザは、マクロオフアイコン１１６ａをタッチする。表示部２７の表示面をタッチすると、タッチパネル１４によってタッチ位置に応じた検知信号が入力検出部１１ａに出力される。入力検出部１１ａによってマクロオフアイコン１１６ａがタッチされたことが検知されると、撮影メニュー表示制御部１１ｂは、図２（ｃ）に示すように、ライブビュー画像１０１にマクロオフアイコン１１６ａ、スーパーマクロアイコン１１６ｂ、マクロアイコン１１６ｃからなるマクロのサブメニューを、撮影メニュー１１０の最下段のアイコンと重畳しないように、かつ最下段に隣接して上側に並べて配置する。
【００２９】
ユーザは、サブメニューの中から希望するモード、ここでは、スーパーマクロアイコン１１６ｂを短時間（例えば、０．１秒程度）、タッチすると、撮影メニュー表示制御部１１ｂは、図２（ｄ）に示すように、サブメニューの表示を消去し、第２の領域１１３に表示されていたマクロオフアイコン１１６ａをスーパーマクロアイコン１１６ｂに切り換えて表示する。そして、撮影条件設定部１１ｃは、それまで設定されていたマクロオフモードから、スーパーマクロモードに撮影条件の設定変更を行う。
【００３０】
図２に示した例は、スクロール領域、すなわち第２の領域１１３の表示されている撮影条件を変更する場合であったが、図３を用いて、固定領域、すなわち第１の領域１１１に表示されている撮影条件を変更する場合について説明する。図３（ａ）は、図２（ａ）と同じく撮影メニューのデフォルト画面であり、この表示画面において、ユーザがＰアイコン１１２ａを短時間でタッチしている様子を示す。Ｐアイコン１１２ａが短時間、タッチされると、入力検出部１１１ａがタッチ位置およびタッチ時間を検出し、撮影メニュー表示制御部１１ｂが図３（ｂ）に示すように、Ｐアイコン１１２ａの上側にサブメニューを表示させる。サブメニューとして示されるアイコンは、通常のプログラムモードを示すＰアイコン１１２ｂ、撮影シーンに応じて最適な撮影モードを選択するｉオートモードを示すｉＡＵＴＯアイコン１１２ｃ、動画の撮影モードを示すムービーアイコン１１２ｄがある。
【００３１】
ユーザは、図３（ｂ）に示す画面において、ｉＡＵＴＯアイコン１１２ｃを短時間、タッチすると、入力検出部１１１ａがタッチ位置およびタッチ時間を検出し、撮影メニュー表示制御部１１ｂが、図３（ｃ）に示すように、第１の領域１１１にｉＡＵＴＯアイコン１１２ｃを表示させる。すなわち、Ｐアイコン１１２ａに代えてｉＡＵＴＯアイコン１１２ｃを表示し、また撮影条件設定部１１ｃは通常のプログラムモードから、ｉオートモードに設定を変更する。
【００３２】
図２及び図３に示した例では、第１の領域１１１または第２の領域１１３に表示されているアイコンを短時間、タッチすることにより、サブメニューを表示させ、サブメニューの中からユーザの意図する撮影条件を選択していたが、図４を用いて、固定領域である第１の領域１１１にアイコンを追加する例を説明する。この図４に示す例では、第１の領域１１１にＷＢＡＵＴＯアイコン１１４ａを追加している。
【００３３】
図４（ａ）は、図２（ａ）と同じく撮影メニューのデフォルト画面である。この表示画面において、図４（ｂ）に示すように、ユーザがＷＢＡＵＴＯアイコン１１４ａを長時間（例えば、０．５秒以上）、タッチすると、入力検出部１１１ａがタッチ位置及びタッチ時間を検出し、撮影メニュー表示制御部１１ｂが、ＷＢＡＵＴＯアイコン１１４ａをフラッシングさせ、ＷＢＡＵＴＯアイコン１１４ａが選択されたことを示す。この状態でユーザがＷＢＡＵＴＯアイコン１１４ａをタッチしたままで第１の領域１１１へスライド操作を行うと、図４（ｃ）に示すように、第１の領域１１１を右へ伸ばしてＷＢＡＵＴＯアイコン１１４ａを含むように表示を切り換える。これにより、「ＷＢＡＵＴＯ」と「Ｐ」が固定領域に設定される。
【００３４】
次に、スクロール領域である第２の領域１１３に表示されているアイコンの表示について説明する。第２の領域１１３には、図５（ｂ）に示すように、本実施形態においては、９種類の撮影条件を示すアイコンが表示される。すなわち、ＷＢＡＵＴＯアイコン１１４ａ、フラッシュＡＵＴＯアイコン１１５ａ、マクロオフアイコン１１６ａ、ＥＶ０アイコン１１７ａ、ＩＳＯＡＵＴＯアイコン１１８ａ、測光アイコン１１９ａがある。また、画素数等の画質を示す画質アイコン１２０、セルフタイマーを設定するためのセルフアイコン１２１ａ、単写や連写の設定を行うためのドライブアイコン１２２ａも設けられている。
【００３５】
このように第２の領域１１３に表示されうるアイコンは、９種類あるが、数に比較し、第２の領域１１３の領域幅が足りないことから、本実施形態においては、画面上では６種類表示し、３種類については、第２の領域１１３内には表示していない。表示されていないアイコンは、図５（ａ）に示すように、ユーザが第２の領域１１３をタッチしながらスライド操作を行うことで、表示される。
【００３６】
ユーザが第２の領域１１３をタッチしながら、左側にスライドすると、入力検出部１１１ａがタッチのスライド方向を検出し、撮影メニュー表示制御部１１ｂが、アイコンをサイクリックに移動させていく。すなわち、ＷＢＡＵＴＯアイコン１１４ａは左へ隠れ、画質アイコン１２０ａが右から現われ、さらにタッチで左側へスライドさせると、フラッシュＡＵＴＯアイコン１１５ａが左へ隠れ、セルフアイコン１２１ａが右から現われ、アイコンがサイクリックに移動していく。
【００３７】
なお、スライドさせている際は、図５（ｃ）に示すように、アイコンは７種類（スライド前は６種類）、表示可能であり、また、固定領域である第１の領域１１１に重畳して第２の領域１１３のアイコンが表示される。第２の領域１１３のアイコンを第１の領域１１１に重畳して表示する際には、第１の領域１１１のアイコンの表示濃度を薄く（半透明化）し、第１及び第２の領域のアイコンの両方を視認できるようにしている。つまり、第２の領域１１３の条件列への切換え操作がされた場合には、第２の領域１１３の条件列を、その表示される条件列の一部が、第１の領域１１１の常時表示用の条件に重畳されるように表示させるようにする。
【００３８】
ユーザが第２の領域１１３にタッチしながらスライド操作することを停止すると、図５（ｄ）に示すように、第２の領域１１３におけるアイコンの移動は停止し、また、第１の領域１１１は表示濃度を元の濃い状態に戻し、この領域の属するアイコンのみが表示される。上述の説明では、タッチでのスライド方向が左側であったが、スライド方向は右側であってもよく、その場合には、図５（ｂ）におけるアイコンの移動方向が逆になる。
【００３９】
図５に示した例では、固定領域である第１の領域１１１には、Ｐアイコン１１２ａのみしか表示されていなかったが、図６に示す例では、第１の領域１１１には、Ｐアイコン１１２ａに加えてＷＢＡＵＴＯアイコン１１４ａも表示されている場合である。この場合には、図６（ｂ）に示すように、第１の領域１１３には、フラッシュＡＵＴＯアイコン１１５ａ、マクロオフアイコン１１６ａ、ＥＶ０アイコン１１７ａ、ＩＳＯＡＵＴＯアイコン１１８ａ、測光アイコン１１９ａ、画質アイコン１２０、セルフアイコン１２１ａ、ドライブアイコン１２２ａの合計８種類のアイコンが配置されており、図５の場合と同様に、スライド操作することにより、サイクリックに表示が切り換わる。
【００４０】
すなわち、図６（ａ）に示すように、ユーザが第２の領域１１３をタッチしながら左側にスライド操作を行うと、８種類のアイコンがサイクリックに順次移動し、図６（ｃ）に示すように、画面には６種類のアイコンが表示される。このとき、図５（ｃ）と同様に、第１の領域１１１に重畳して第２の領域に属するアイコンが表示される。第２の領域１１３のアイコンを第１の領域１１１に重畳して表示する際には、図５（ｃ）と同様、第１の領域１１１のアイコンの表示濃度を薄く（半透明化）し、第１及び第２の領域のアイコンの両方を視認できるようにしている。ユーザがタッチを停止すると、アイコンの移動も停止する。そして第１の領域１１１のアイコンの表示濃度を元の濃い状態に戻す。上述の説明では、タッチでのスライド方向が左側であったが、スライド方向は右側であってもよく、その場合には、図６（ｂ）におけるアイコンの移動方向が逆になる。
【００４１】
次に、本実施形態の撮影モードを実行するためのフローについて、図７ないし図９に示すフローチャートを用いて説明する。このフローはプログラム／データ記憶部１２に記憶されているプログラムに従って制御部１１によって実行される。撮影モードに入ると、まず、撮影メニュー表示を行うか否かの判定を行う（Ｓ１１）。カメラ１０には各種操作部材として撮影メニュー釦が設けられているので、このステップでは、ユーザがこの撮影メニュー釦を操作したか否かに基づいて判定する。なお、再度、撮影メニュー釦が操作されると、撮影メニュー表示は解除される。
【００４２】
ステップＳ１１における判定の結果、撮影メニュー表示を行わない場合には、通常のライブビュー表示を行う（Ｓ１３）。このステップでは、撮像部２０から出力される画像データを画像処理部２２によって表示し、表示処理部２６を通じて表示部２７にライブビュー表示を行う。撮影者は、ライブビュー表示を観察することによって構図を決定し、シャッタレリーズを行うことができる。
【００４３】
ステップＳ１１における判定の結果、撮影メニューの表示を行う場合には、撮影メニュー処理を行う（Ｓ１２）。ここでは、図２ないし図６を用いて説明した撮影メニューを、ライブビュー表示に重畳して表示する。この撮影メニュー処理の詳しい動作については、図８及び図９を用いて後述する。
【００４４】
撮影メニュー処理またはライブビュー表示を行うと、次に、レリーズ操作か否かの判定を行う（Ｓ１４）。このステップでは、操作部１３のレリーズ釦の操作状態を検出し、レリーズ釦が押し込まれたか否かに基づいて判定する。この判定の結果、レリーズ操作がなされた場合には、撮影処理を行う（Ｓ１５）。撮影処理は、撮像部２０から出力される画像データを画像処理部２２によって画像処理し、圧縮伸張部２３によって画像圧縮した後に、画像記憶部２５に記憶する。
【００４５】
ステップＳ１５における撮影処理を行うと、またはステップＳ１４における判定の結果、レリーズ操作がなされていなかった場合には、次に、電源オフ操作がなされたか否かを判定する（Ｓ１６）。このステップでは、操作部１３の電源釦の操作状態に基づいて判定する。この判定の結果、電源オフ操作がなされていなかった場合には、ステップＳ１１に戻り、前述の動作を実行する。一方、判定の結果、電源オフ操作がなされた場合には、電源オフ処理を行い、撮影モードの動作を終了する。
【００４６】
次に、ステップＳ１２における撮影メニュー処理の詳しい動作について、図８及び図９を用いて説明する。撮影メニュー処理のサブルーチンに入ると、まず、スタートか否かの判定を行う（Ｓ２１）。撮影メニュー処理を最初に実行する場合にスタートと判定する。この判定の結果、スタートであった場合には、デフォルトのメニュー画像を作成する（Ｓ２２）。デフォルトのメニュー画像は、図２（ａ）における画面の下部における撮影メニュー１１０、すなわち、第１の領域１１１と第２の領域１１３に示したアイコン等を含む画像である。
【００４７】
ステップＳ２２においてデフォルトのメニュー画像を作成すると、またはステップＳ２１における判定の結果、スタートでなかった場合には、以前の状態の記憶されている撮影メニューを読み出し、次に、ライブビュー画像とメニュー画像を合成して表示する（Ｓ２３）。ここでは、ステップＳ１３において説明したライブビュー表示のための画像に、ステップＳ２２において作成したメニュー画像を重畳することにより作成した合成画像を表示部２７に表示する。
【００４８】
ライブビュー画像とメニュー画像の合成画像を表示すると、次に、撮影メニューに対して操作されたか否かの判定を行う（Ｓ２４）。このステップでは、入力検出部１１ａによってタッチパネル１４がタッチされたか否か、またタッチされた場合には、撮影メニュー１１０の部分がタッチされたか否かを判定する。
【００４９】
ステップＳ２４における判定の結果、撮影メニューに対して操作されていた場合には、次に、操作は短時間タッチ操作か否かの判定を行う（Ｓ２５）。このステップでは、入力検出部１１ａによって、撮影メニュー１１０の部分がタッチされていた時間が短時間（例えば、０．１秒程度）であったか否かを判定する。
【００５０】
ステップＳ２５における判定の結果、短時間タッチであった場合には、次に、タッチ操作された条件のサブメニューを追加する制御処理を行い、この結果を表示する（Ｓ２６）。ここでは、例えば、図２（ｃ）においてサブメニューとしてマクロオフアイコン１１６ａ、スーパーマクロアイコン１１６ｂ、マクロアイコン１１６ｃを表示したように、また、図３（ｂ）において、サブメニューとしてＰアイコン１１２ｂ、ｉＡＵＴＯアイコン１１２ｃ、ムービーアイコン１１２ｄを表示したように、サブメニューの画像を生成し、この表示を行う。
【００５１】
ステップＳ２６において、サブメニューの表示を行うと、次に、この表示されたサブメニューが選択されたか否かの判定を行う（Ｓ２７）。このステップでは、入力検出部１１ａによってサブメニューの部分がタッチされたか否かを判定する。
【００５２】
ステップＳ２７における判定の結果、サブメニューが選択された場合には、次に、条件を変更する制御処理を行い、その結果を表示する（Ｓ２８）。ここでは、例えば、図２（ｃ）においてスーパーマクロアイコン１１６ｂが選択された場合に、図２（ｄ）に示すように、撮影メニュー１１０の第２の領域１１３にスーパーマクロアイコン１１６ｂを表示する。また、例えば、図３（ｂ）において、ｉＡＵＴＯアイコン１１２ｃが選択された場合に、図２（ｃ）に示すように、撮影メニュー１１０の第１の領域１１１にｉＡＵＴＯアイコン１２ｃを表示する。
【００５３】
ステップＳ２８において変更条件の表示を行うと、次に、撮影条件の変更を行う（Ｓ２９）。ここでは、変更された撮影条件に従って、撮影条件設定部１１ｃは撮影条件の変更を行う。
【００５４】
ステップＳ２５における判定の結果、操作が短時間でなかった場合には、次に、操作は第２の領域条件への長時間タッチであったか否かの判定を行う（図９のＳ３１）。ここでは、図４を用いて説明したように、スクロール領域である第２の領域１１３に表示されているアイコンを、固定領域である第１の領域１１１に移動させるために、ユーザが長時間タッチ（例えば、０．５秒程度）を行ったか否かの判定を行う。
【００５５】
ステップＳ３１における判定の結果、第２の領域への長時間タッチが有った場合には、次に、長時間タッチされたアイコンを候補に設定し（Ｓ３２）、候補条件をフラッシングさせる（Ｓ３３）。これらのステップでは、図４（ｂ）に示すように、長時間タッチしたアイコン（図４（ｂ）の例では、ＷＢＡＵＴＯアイコン１１４ａ）を検出し、このアイコンをフラッシングさせる。
【００５６】
次に、候補が第１の領域にスライド操作されたか否かを判定する（Ｓ３４）。ここでは、ステップＳ３２において候補として設定された第２の領域１１３のアイコンが、ユーザによって第１の領域１１１にタッチしたままでスライド操作されたか否かを、入力検出部１１ａによって判定する。
【００５７】
ステップＳ３４における判定の結果、候補が第１の領域にスライド操作された場合には、候補を第１の領域に含ませる制御処理を行い、表示する（Ｓ３５）。ここでは、候補を第２の領域１１３から第１の領域１１１に移動させるアニメーションを表示した後、第１の領域１１１を拡大表示する。図４に示した例では、選択されたＷＢＡＵＴＯアイコン１１４ａが、スクロール領域である第２の領域１１３から固定領域である第１の領域１１１にアニメーションで移動する。このアニメーション後に、第１の領域１１１をＷＢＡＵＴＯアイコンが含まれるようなサイズに拡大する。これによりＷＢＡＵＴＯアイコンは、撮影メニュー画像が表示される際には、常時表示されることになる。
【００５８】
次に、ステップＳ３１における判定の結果、操作が第２の領域条件への長時間タッチでなかった場合には、次に、操作は第２の領域へのスライド操作であるか否かの判定を行う（Ｓ４１）。ここでは、図５及び図６を用いて説明したように、スクロール領域である第２の領域１１３に表示されているアイコンをスクロールし、隠れているアイコンを順次表示するために、ユーザがスライド操作を行ったか否かの判定を行う。
【００５９】
ステップＳ４１における判定の結果、第２の領域へのスライド操作がなされていた場合には、次に、第１の領域の表示を変更する（Ｓ４２）。ここでは、第１の領域１１１の表示を、図５（ｃ）において説明したように、第１の領域１１１のアイコンの表示濃度を薄くしている。続いて、第２の領域の表示をスクロール操作処理し、表示する（Ｓ４３）。ここでは、図５（ｂ）や図６（ｂ）に示されるように、アイコンがサイクリックに並んでおり、ユーザのスライド操作に応じて、順次スクロール表示がなされる。
【００６０】
ステップＳ２９、Ｓ３５、Ｓ４３における処理を実行すると、またはステップＳ２７における判定の結果、サブメニューが選択されていなかった場合、またはステップ３４における判定の結果、候補が第１の領域にスライド操作されていなかった場合、またはステップＳ４１における判定の結果、第２の領域へのスライド操作がなされていなかった場合には、撮影メニュー処理のサブルーチンを終了し、元のフローに戻る。
【００６１】
このように、本実施形態においては、撮影メニュー１１０において表示されるアイコン（撮影条件）を、第１の領域１１１と第２の領域１１３のいずれかに分け、第１の領域１１１に表示されるアイコンは撮影メニュー表示時には常時表示とし、第２の領域１１３に表示されるアイコンは、切換操作（スライド操作、スクロール操作）により順次表示するようにしている。このため、常時使用する撮影条件（アイコン）については、常時表示が可能となり、一方、ときどき使用する撮影条件（アイコン）については、切換操作により表示することができ、狭い画面内を効率的に使用することができる。
【００６２】
また、本実施形態においては、第２の領域１１３に表示されるアイコンの切り換え操作を行う場合には、第１の領域１１１のアイコンに重畳して第２の領域１１３に属するアイコンを表示するようにしている。このため、表示される領域が長くなり、同時に表示されるアイコンの数が増加することから検索性の向上を図ることができる。
【００６３】
さらに、本実施形態においては、第２の領域１１３に表示されるアイコンであっても、常時表示される第１の領域１１１に移動させることができる。このため、撮影対象や撮影環境の変化に対応して、最適な撮影メニューに簡単に切り換えることができる。
【００６４】
さらに、本実施形態においては、撮影メニュー１１０に表示されているアイコンを短時間タッチするだけで、そのアイコンに関連するサブメニューを表示するようにしている。このため、サブメニューに属する撮影条件に迅速に変更することができる。
【００６５】
次に、図９のステップＳ４２における第１の領域の表示変更の変形例１、２について図１０及び図１１を用いて説明する。本発明の一実施形態のステップＳ４２においては、第２の領域１１１のアイコンのスクロール時には、第１の領域１１１のアイコンの表示濃度を薄くしていた。これに対して変形例１においては、第１の領域１１１を下側に移動させている。すなわち、ユーザによって、第２の領域１１３がタッチされ、かつ横方向にスライド操作がなされると、図１０（ａ）に示すように、第１の領域１１１のＰアイコン１１２ａとＷＢＡＵＴＯアイコン１１４ａを下側に移動させ、図１０（ｂ）に示すように、これら２つのアイコンが消去したら、第２の領域１１３のアイコンのスクロールを行うようにしている。
【００６６】
また、変形例２においては、第２の領域１１１のアイコンのスクロール時には、第１の領域１１１の幅を狭くするようにしている。すなわち、ユーザによって、第２の領域１１３がタッチされ、かつ横方向にスライド操作がなされると、図１１に示すように、第１の領域１１１のＰアイコン１１２ａとＷＢＡＵＴＯアイコン１１４ａの幅を狭くし、第２の領域１１３の幅を広げて、第２の領域１１３のアイコンのスクロールを行うようにしている。
【００６７】
このように、変形例１、２においては、第２の領域１１３の切換操作（スクロール）を行う際には、条件表示領域での第１の領域１１１の占める割合を減らし（消去する場合も含めて）、その分第２の領域１１３の占める割合を増やして第２の領域１１３のアイコンを表示するようにしている。このため、同時に表示することのできる第２の領域１１３のアイコンの数を増加させることができ、検索性が向上する。
【００６８】
以上説明したように、本発明の一実施形態や変形例においては、常時表示される撮影条件を表示する第１の領域１１１と、それ以外の撮影条件を表示する第２の領域１１３に分け、第２の領域１１３に表示される撮影条件は、切換操作（スライド操作）に応じて表示するようにしている。このため、撮影メニューの表示領域が狭く、全撮影条件を表示できない場合であっても効率よく撮影条件を検索することができる。
【００６９】
また、第２の領域１１３に表示されている撮影条件（アイコン）の中から、常時表示の撮影条件として表示されるアイコンを、第１の領域１１１に移動させて表示することを可能としている。このため、撮影対象や撮影環境の変化に対応して、最適な撮影メニューに簡単に切り換えることができる。
【００７０】
なお、本発明の一実施形態や変形例においては、撮影メニュー１１０は表示部２７の表示画面の中で下部に横長に表示したが、上部に横長に表示してもよく、また図１２に示すように、左右のいずれかに縦長に表示するようにしても勿論かまわない。図１２（ａ）に示す例では、右側に撮影メニュー１１０を配置しており、第２の領域１１３をタッチしながら上方向にスライド操作することにより、図１２（ｂ）に示すように、第１の領域１１１に重畳して第２の領域１１３のアイコンをスクロールすることができる。
【００７１】
また、本発明の一実施形態における図９のＳ３３において、候補条件をフラッシングしたが、フラッシング以外にも候補として選択されたことを示す表示処理、例えば、色を変更する等の表示処理を行うようにしてもよい。さらに、撮影メニュー１１０はライブビュー表示が見えるように、半透過状態で表示していたが、これに限らず、不透過状態で表示するようにしてもよい。また、撮影メニューの操作をタッチ操作で行う例で説明したが、操作ボタンで行うようにもできる。
【００７２】
さらに、本発明の一実施形態や変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。また、上記実施形態では、処理の実行を主にソフトウエアで行う説明をしたが、これに限るものではなく、ハードウエアと組合せで行ってもよい。
【００７３】
さらに、本発明はカメラに限らず、携帯用オーディオプレーヤーや携帯電話等、表示部を有する機器であれば、適用することができる。一実施形態や変形例においては、撮影条件の設定を表示部で行うようにしていたが、これらの機器の場合には、種々のモードや条件を表示部で行うようにすればよい。
【００７４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００７５】
１０・・・カメラ、１１・・・制御部（ＣＰＵ）、１１ａ・・・入力検出部、１１ｂ・・・撮影メニュー表示制御部、１１ｃ・・・撮影条件設定部、１２・・・プログラム／データ記憶部、１３・・・操作部、１４・・・タッチパネル、２０・・・撮像部、２１・・・ＳＤＲＡＭ、２２・・・画像処理部、２３・・・圧縮伸張部、２４・・・記録再生部、２５・・・画像記憶部、２６・・・表示処理部、２７・・・表示部、３０・・・バス、１０１・・・ライブビュー画像、１１０・・・撮影メニュー、１１１・・・第１の領域、１１２ａ・・・Ｐアイコン、１１２ｂ・・・Ｐアイコン、１１２ｃ・・・ｉＡＵＴＯアイコン、１１２ｄ・・・ムービーアイコン、１１３・・・第２の領域、１１４ａ・・・ＷＢＡＵＴＯアイコン、１１５ａ・・・フラッシュＡＵＴＯアイコン、１１６ａ・・・マクロオフアイコン、１１６ｂ・・・スーパーマクロアイコン、１１６ｃ・・・マクロアイコン、１１７ａ・・・ＥＶ０アイコン、１１８ａ・・・ＩＳＯＡＵＴＯアイコン、１１９ａ・・・測光アイコン、１２０ａ・・・画質アイコン、１２１ａ・・・セルフアイコン、１２２ａ・・・ドライブアイコン
【図１】
0005451407.tif 000002
【図２】
0005451407.tif 000003
【図３】
0005451407.tif 000004
【図４】
0005451407.tif 000005
【図５】
0005451407.tif 000006
【図６】
0005451407.tif 000007
【図７】
0005451407.tif 000008
【図８】
0005451407.tif 000009
【図９】
0005451407.tif 000010
【図１０】
0005451407.tif 000011
【図１１】
0005451407.tif 000012
【図１２】
0005451407.tif 000013